(57)【要約】【課題】デジタルアンプ部とそのデジタルアンプ部に接続されたスピーカーとを備え、前記デジタルアンプ部と前記スピーカーとを筐体で被装させてなる音声出力装置において、デジタルアンプ基板からのノイズをシールドする部品の点数を削減しつつ、ノイズシールドを維持し、加えて、音質の向上が期待できる音声出力装置を提供すること。【解決手段】ノイズシールド可能及び音抜け可能な小径の孔１４１が複数個設けられた前面板１４と、下板１１と、上板１２と、背面板１３との夫々を、金属板からなる導電性部材で構成して、スピーカーとデジタルアンプ部５等を内装させる筐体１を構成する。また、この筐体１をメイン基板６のアースと接続する。【選択図】図２
2008092344.tif 000002
【特許請求の範囲】
【請求項１】
デジタルアンプ部とそのデジタルアンプ部に接続されたスピーカーとを備え、前記デジタルアンプ部と前記スピーカーとを、全方位を覆う筐体で被装させてなる音声出力装置であって、
前記筐体は、導電性部材で構成されると共に、前記スピーカーの配設側の構成面に複数個の孔が設けられてノイズシールド可能及び音抜け可能に構成されると共に、アースされてなることを特徴とする音声出力装置。
【請求項２】
前記構成面は、外観意匠を構成させる前面板の構成面であることを特徴とする請求項１記載の音声出力装置。
【請求項３】
前記筐体の内部に、導電性部材で構成され前記デジタルアンプ部を被装させる第２筐体が設けられ、該第２筐体はアースされてなることを特徴とする請求項１または２記載の音声出力装置。
【請求項４】
前記筐体の内部に、導電性部材で構成され前記第２筐体と前記スピーカーとを被装させる第３筐体が設けられ、
該第３筐体は、前記スピーカーの配設側の面に複数個の孔が設けられてノイズシールド可能及び音抜け可能に構成されると共に、アースされてなることを特徴とする請求項３記載の音声出力装置。
【請求項５】
デジタルアンプ部と、そのデジタルアンプ部に接続されたスピーカーと、前記デジタルアンプ部と前記スピーカーとを全方位から覆う筐体とを備えた音声出力装置におけるノイズシールド方法であって、
前記筐体を、導電性部材で構成してアースすると共に、前記スピーカーの配設側の構成面にノイズシールド可能及び音抜け可能に複数個の孔を設けることを特徴とするノイズシールド方法。
【発明の詳細な説明】
【技術分野】
【０００１】
本発明は、デジタルアンプ部とスピーカーとを筐体で被装させた音声出力装置に関し、さらに詳しくは、その音声出力装置におけるノイズシールド技術に関する。
【背景技術】
【０００２】
従来、デジタルアンプ基板からのノイズを確実にシールドする技術として、例えば、背面シャーシに、デジタルアンプ基板を覆うように導電性を有する箱形のシールドケースを取り付け、その背面シャーシをデジタルアンプ基板からの輻射（ノイズ）をシールドする手段の一部として使用し、背面シャーシとシールドケースとでデジタルアンプ基板からの輻射を全方向に亘ってシールドさせるように構成したデジタルアンプ装置がある。
【０００３】
このデジタルアンプ装置によれば、デジタルアンプ基板からの輻射を確実にシールドすることができ、スイッチング増幅によって輻射された電磁波がデジタルアンプ基板側から外部に放出されることを防止することができる好適なものである（例えば特許文献１参照）。
【０００４】
また、ポータブルタイプのＣＤプレーヤーやＭＤプレーヤー等のデジタルアンプ部とスピーカーとを筐体で被装させた音声出力装置、あるいは、プレーヤー部分を有していない音声出力装置においては、筐体全体がプラスチック製であったり、スピーカーの前面部分のみ金網で構成しその他の部分をやはりプラスチック製にしているのが一般的である。
【０００５】
【特許文献１】特開２００５−２９４５７４公報（第１頁、図１）
【発明の開示】
【発明が解決しようとする課題】
【０００６】
上記した先行のデジタルアンプ装置は、デジタルアンプ基板を覆うように導電性を有する箱形のシールドケースの他に、デジタルアンプ基板からの輻射（ノイズ）をシールドする手段の一部として背面シャーシを使用していることから、部品点数を削減できる余地があった。
【０００７】
特に、上記したデジタルアンプ部とスピーカーとを筐体で被装させた音声出力装置において、上記したノイズシールド技術を適用する場合、背面シャーシ、シャーシ本体、スピーカー取付パネルの夫々を、別材質、別部材で構成することになる上に、シールドケースが必要となるため、部品点数の削減が望まれていた。
【０００８】
また、デジタルアンプ部の出力に応じてノイズの発生量が異なるため、デジタルアンプ部の出力いかんによっては、背面シャーシ側からノイズが漏れる惧れもあり、その対策も講じる必要があった。
【０００９】
そこで本発明は、このような状況に鑑みてなされたものであり、上記問題点を解決できる音声出力装置及びノイズシールド方法を提供することを目的とする。
【課題を解決するための手段】
【００１０】
上記技術課題を達成するために、本発明にかかる音声出力装置及びノイズシールド方法は、下記の技術的手段を講じた。
すなわち、本発明にかかる音声出力装置は、デジタルアンプ部とそのデジタルアンプ部に接続されたスピーカーとを備え、前記デジタルアンプ部と前記スピーカーとを、全方位を覆う筐体で被装させてなる音声出力装置であって、前記筐体は、導電性部材で構成されると共に、前記スピーカーの配設側の構成面に複数個の孔が設けられてノイズシールド可能及び音抜け可能に構成されると共に、アースされてなることを特徴とする。
また、本発明にかかる音声出力装置は、前記発明において、前記構成面は、外観意匠を構成させる前面板の構成面であることを特徴とする。
また、本発明にかかる音声出力装置は、前記発明の何れかにおいて、前記筐体の内部に、導電性部材で構成され前記デジタルアンプ部を被装させる第２筐体が設けられ、該第２筐体はアースされてなることを特徴とする。
また、本発明にかかる音声出力装置は、前記発明において、前記筐体の内部に、導電性部材で構成され前記第２筐体と前記スピーカーとを被装させる第３筐体が設けられ、該第３筐体は、前記スピーカーの配設側の面に複数個の孔が設けられてノイズシールド可能及び音抜け可能に構成されると共に、アースされてなることを特徴とする。
また、本発明にかかるノイズシールド方法は、デジタルアンプ部と、そのデジタルアンプ部に接続されたスピーカーと、前記デジタルアンプ部と前記スピーカーとを全方位から覆う筐体とを備えた音声出力装置におけるノイズシールド方法であって、前記筐体を、導電性部材で構成してアースすると共に、前記スピーカーの配設側の構成面にノイズシールド可能及び音抜け可能に複数個の孔を設けることを特徴とする。
【発明の効果】
【００１１】
本発明にかかる音声出力装置によれば、デジタルアンプ部とスピーカーとを全方位を覆う筐体を、導電性部材で構成してアースし、スピーカーの配設側の構成面にノイズシールド可能及び音抜け可能な複数個の孔を設けて構成して、筐体全体を言わばシールドケースにしたから、部品点数を削減できる。
【００１２】
また、ノイズ源となるデジタルアンプ部を第２筐体や第３筐体で被装することで、デジタルアンプ部の出力いかんによって生じる惧れのあるノイズ漏れを完全に防止できる。
【発明を実施するための最良の形態】
【００１３】
次に本発明を実施するための最良の形態を、図面を参照して具体的に説明する。なお、本実施の形態にかかる音声出力装置は、デジタルアンプ部５と左右一対のスピーカーＳと筐体１とを備え、ケーブルを介してＣＤプレーヤーやＤＶＤプレーヤー等の音楽や映像の再生出力装置と接続される好適なものが例示されている。
【００１４】
本実施の形態にかかる音声出力装置は、図１〜図４に示すように、筐体１と、スピーカーボックス２と、第２筐体３と、第３筐体４とを備えてなる。なお、筐体１と、第２筐体３と、第３筐体４の夫々は、金属板からなる導電性部材で構成されており、夫々が後述するメイン基板６（電源回路やシステム制御回路等からなる）のアースと接続されている。
【００１５】
筐体１は、図１に示すように、その外観形状が前面側の両端が後方に向かって傾斜した略箱状に形成されており、図２に示すように、両側壁が形成されるように折り曲げ形成された略コ字状の下板１１と、その下板１１の両側壁外側と嵌合されるように両側壁が折り曲げ形成された略コ字状の上板１２と、下板１１と上板１２とが嵌合されて形成される後側開口を塞ぐ背面板１３と、下板１１と上板１２とが嵌合されて形成される前側開口を塞ぐ前面板１４とからなる。この筐体１は、これらの各板（下板１１、上板１２、背面板１３、前面板１４）同士を、ビスやリベットを用いて略箱状に組み立てられるようになっている。
【００１６】
前面板１４は、前面側の外観意匠を構成させるもので、その両端が後方に向かって傾斜するように形成されており、その構成面にノイズシールド可能及び音抜け可能な小径の孔１４１が複数個設けられている。なお、この前面板１４は、一部材で構成したり、あるいは複数の部材で構成しても良い。複数の部材で構成する場合、金属製フレームと、ノイズシールド可能及び音抜け可能な小径の孔が複数個設けられた金属製パネルとを接続（溶着、螺着、嵌着など）する二部材構成が好適である。また、この金属製パネルは、生産性を考慮すれば、例えば目の細かいメッシュパネル、パンチングメタルなどを用いることが好適である。
また、背面板１３は、放熱ファン用の通風孔１３１や、各接続端子を外部に露出させる端子用孔１３２が設けられている。
【００１７】
スピーカーボックス２は、図３に示すように、左右、２つ一組のスピーカーＳを夫々収納させる一対からなり、その個々の形状が、前面板１４と沿うように前部外側の端部が後方に向かって傾斜されると共に前部内側の端部が後方に向かって傾斜される平面視略台形状の箱型に形成されている。そして、後方に向かって傾斜された前部外側の端部側と、平坦状の前部中央の夫々にスピーカーＳが螺合されており、このスピーカーＳの配設側と反対側である背面は、図４に示すように開口されて、後述する第２筐体３が内装されるようになっている。
【００１８】
第２筐体３は、ノイズシールド可能及び放熱可能な小径の孔３１１が複数個設けられた前側ケース３１と、同様にノイズシールド可能及び放熱可能な小径の孔３２１が複数個設けられた後側ケース３２とで密閉箱状に構成されており、後側ケース３２の内底に固着される凸状の基板支持ベース８に、ΔΣ変調回路やＤ級増幅回路等を実装したデジタルアンプ部５が固定されて、第２筐体３内にそのデジタルアンプ部５が収納されている。
【００１９】
そして、デジタルアンプ部５を内装した第２筐体３は、図４に示すように、その内方の側面にブラケット３３が止着され、そのブラケット３３と共に、スピーカーボックス２に背面から挿入されてスピーカーボックス２内に内装される。また、第２筐体３の外方の側面には、外側に向かって突設された取付けステー９が取り付けられ、その取付けステー９の先部が後述する後側パネル４３に螺合される。
【００２０】
なお、ノイズ源は、上記したデジタルアンプ部５であり、特に、Ｄ級増幅回路が主な発生源となっている。
また、音質を向上させるために、デジタルアンプで一般的に採用されているローパスフィルターを無くすことが極めて有効であるが、その反面、ローパスフィルターを無くすことによって更にノイズが発生してしまう惧れがある。しかしながら、本実施の形態のように筐体１全体を言わばシールドケースにし、さらに第２筐体３、後述する第３筐体４でシールドすることでノイズシールドを完全にし、その結果、ローパスフィルターを無くして音質向上を図ることが可能になる。
【００２１】
第３筐体４は、左右一対からなり、第２筐体３を内装したスピーカーボックス２の上面と、両側の側面と、後方に向かって傾斜された前面内側の端部とを覆うように折り曲げ形成された上側ケース４１と、スピーカーボックス２の平坦状の前部中央と、後方に向かって傾斜された前部外側の端部とを覆うように折り曲げ形成された前側パネル４２と、スピーカーボックス２の背面を覆うように形成された後側パネル４３と、スピーカーボックス２の底面を覆うように形成された下側パネル４４とからなる。この第３筐体４は、これらの各板（上側ケース４１、前側パネル４２、後側パネル４３、下側パネル４４）同士を、ビスやリベットを用いて略箱状に組み立てられるようになっており、第２筐体３を内装したスピーカーボックス２の全方位を被装させている。
【００２２】
このうち、スピーカーＳの前面を覆う前側パネル４２は、その構成面にノイズシールド可能及び音抜け可能な小径の孔４２１が複数個設けられている。なお、この前側パネル４２は、一部材で構成されており、生産性を考慮すれば、例えば目の細かいメッシュパネル、パンチングメタルなどを用いることが好適である。
【００２３】
また前側パネル４２の前面側には、図２に示すように、並設された第３筐体４同士の前部を一体的に保持させるように形設された前側パネルカバー７が配設されている。この前側パネルカバー７は、その両端に後方に向かって延設された取付部が設けられており、この取付部を下板１１の前部に形成された凹部に位置させて上板１２を下板１１に螺合することで、挟持されるようになっている。
【００２４】
また、後側パネル４３は、ノイズシールド可能及び放熱可能な小径の孔４３１が複数個設けられており、上記したように、一端側が取付けステー９の先部と螺合され、他端側が後側ケース３２またはスピーカーボックス２の背面に螺合されている。
【００２５】
また、図２に示すように、この後側パネル４３と筐体１を構成する背面板１３との間の下板１１の上面部分（筐体１後部）に、電源回路やシステム制御回路等からなるメイン基板６が配設されており、金属板からなる導電性部材で構成された筐体１、第２筐体３、第３筐体４の夫々が、このメイン基板６のアースと接続されてシールド効果を向上させている。
【００２６】
以上のように構成された本実施の形態にかかる音声出力装置は、筐体１、第２筐体３、第３筐体４の夫々が、螺着されて一体化しており、３重のノイズシールド構造によってデジタルアンプ部５からのノイズの漏洩及び外部からのノイズの侵入を完全に防止している。
【００２７】
そして、このように構成された音声出力装置と、ＣＤプレーヤーやＤＶＤプレーヤー等の音楽や映像の再生出力装置とを、図示しない光ケーブル等を介して接続し、双方のメイン電源をＯＮにして、図示しない音量・音質等の操作部（リモートコントローラのみの操作、または、図示しない音声出力装置に設けた操作部による操作）を操作することで、スピーカーＳから高音質のサウンドを出力する。
【００２８】
特に、上記したように、本実施の形態では、筐体１全体を言わばシールドケースにし、さらに第２筐体３、第３筐体４で、デジタルアンプ部５をシールドすることで、ノイズシールドを完全にすることができ、したがって、音質向上が望めるローパスフィルターを無くすことが可能になる。
【００２９】
また、デジタルアンプ部５とスピーカーＳとを全方位を覆う筐体１を、金属板からなる導電性部材で構成してメイン基板６のアースと接続し、スピーカーＳの配設側の構成面にノイズシールド可能及び音抜け可能な複数個の孔を設けて構成して、筐体１全体を言わばシールドケースにしたから、従来のシールド構造に比べて、部品点数を削減できる。
しかも、外観意匠を構成させる前面板１４をも、ノイズシールドを構築する部材としたから、部品点数を大幅に削減できる。
【００３０】
以上、具体的な実施の形態について説明したが、本発明は上記実施の形態に限定されず、発明の要旨を変更しない範囲で適宜変更して実施できることは言うまでもない。
例えば、ポータブルタイプのＣＤプレーヤーやＭＤプレーヤー等のデジタルアンプ部とスピーカーとを筐体で被装させた音声出力装置にも適用できる。
また、筐体を、導電性部材で構成してアースすると共に、スピーカーの配設側の構成面にノイズシールド可能及び音抜け可能に複数個の孔を設けることを特徴とするノイズシールド方法でも良い。
【図面の簡単な説明】
【００３１】
【図１】本実施の形態にかかる音声出力装置の斜視図である。
【図２】本実施の形態にかかる音声出力装置の分解斜視図その１である。
【図３】本実施の形態にかかる音声出力装置の分解斜視図その２である。
【図４】本実施の形態にかかる音声出力装置の分解斜視図その３である。
【符号の説明】
【００３２】
１  筐体
１１  下板
１２  上板
１３  背面板
１３１  放熱ファン用の通風孔
１３２  端子用孔
１４  前面板
１４１  孔（前面板１４の）
２  スピーカーボックス
３  第２筐体
３１  前側ケース
３２  後側ケース
３３  ブラケット
３１１  孔（前側ケースの）
３２１  孔（後側ケースの）
４  第３筐体
４１  上側ケース
４２  前側パネル
４２１  孔（前側パネルの）
４３  後側パネル
４３１  孔（後側パネルの）
４４  下側パネル
５  デジタルアンプ部
６  メイン基板
７  前側パネルカバー
８  基板支持ベース
９  取付けステー
Ｓ  スピーカー
【図１】
2008092344.tif 000003
【図２】
2008092344.tif 000004
【図３】
2008092344.tif 000005
【図４】
2008092344.tif 000006